(57)【特許請求の範囲】
【請求項１】
少なくとも２つの燃料電池（１２，１４）と、
前記少なくとも２つの燃料電池（１２，１４）を相互に直列に接続するために設けられた相互接続ユニット（１６）と、
を含む燃料電池ユニット（１０）を備えた燃料電池装置において、
少なくとも１つの前記相互接続ユニット（１６）が、相互に異なる材料から形成された少なくとも２つの層（１８，２０）を有しており、
前記燃料電池ユニット（１０）は、前記少なくとも２つの燃料電池（１２，１４）のカソード（２４，２６）を形成するために設けられた少なくとも１つのカソード層（２２）と、前記少なくとも２つの燃料電池（１２，１４）のアノード（３０，３２）を形成するために設けられた少なくとも１つのアノード層（２８）と、前記少なくとも２つの燃料電池（１２，１４）の電解質（３６，３８）を形成するために設けられた少なくとも１つの電解質層（３４）とを含み、
前記少なくとも２つの燃料電池（１２，１４）は、前記燃料電池ユニット（１０）内部で、第１の燃料電池（１２）のカソード（２４）が、第２の燃料電池（１４）のアノード（３２）に少なくとも部分的に重畳するように配置されており、
前記相互接続ユニット（１６）は、前記燃料電池ユニット（１０）の前記電解質層（３４）内部に、かつ、前記第１の燃料電池（１２）の前記カソード（２４）と前記第２の燃料電池（１４）の前記アノード（３２）とが重畳する領域に、配置されている、
ことを特徴とする燃料電池装置。
【請求項２】
前記少なくとも１つの相互接続ユニット（１６）は、マンガン系ペロブスカイトから形成された少なくとも１つの第１の層（１８）を有している、請求項１に記載の燃料電池装置。
【請求項３】
前記少なくとも１つの相互接続ユニット（１６）は、ニッケル系ペロブスカイトから形成された少なくとも１つの第２の層（２０）を有している、請求項２に記載の燃料電池装置。
【請求項４】
前記少なくとも１つの相互接続ユニット（１６）の前記少なくとも１つの第１の層（１８）は、前記少なくとも１つのアノード層（２８）の方向に向くように配置されており、前記少なくとも１つの相互接続ユニット（１６）の前記少なくとも１つの第２の層（２０）は、前記少なくとも１つのカソード層（２２）の方向に向くように配置されている、請求項１乃至３のいずれか一項に記載の燃料電池装置。
【請求項５】
前記燃料電池ユニット（１０）が配置されている少なくとも１つの支持体（４０）を備えている、請求項１乃至４のいずれか一項に記載の燃料電池装置。
【請求項６】
少なくとも２つの燃料電池（１２，１４）と、
前記少なくとも２つの燃料電池（１２，１４）を相互に直列に接続するために設けられた相互接続ユニット（１６）と、
を含む燃料電池ユニット（１０）を備えた燃料電池装置（４６）を製造するための方法において、
少なくとも１つの前記相互接続ユニット（１６）が有する少なくとも２つの層（１８，２０）を、相互に異なる材料から形成し、
前記少なくとも２つの燃料電池（１２，１４）のカソード（２４，２６）を形成するために、少なくとも１つのカソード層（２２）を形成し、
前記少なくとも２つの燃料電池（１２，１４）のアノード（３０，３２）を形成するために、少なくとも１つのアノード層（２８）を形成し、
前記少なくとも２つの燃料電池（１２，１４）の電解質（３６，３８）を形成するために、少なくとも１つの電解質層（３４）を形成し、
前記燃料電池ユニット（１０）内部で、第１の燃料電池（１２）のカソード（２４）が、第２の燃料電池（１４）のアノード（３２）に少なくとも部分的に重畳するように、前記少なくとも２つの燃料電池（１２，１４）を配置し、
前記燃料電池ユニット（１０）の前記電解質層（３４）内部に、かつ、前記第１の燃料電池（１２）の前記カソード（２４）と前記第２の燃料電池（１４）の前記アノード（３２）とが重畳する領域に、前記相互接続ユニット（１６）を配置する、
ことを特徴とする、燃料電池装置（４６）を製造するための方法。
【請求項７】
前記少なくとも１つの相互接続ユニット（１６）が有する前記少なくとも２つの層（１８，２０）のうちの少なくとも１つの第１の層（１８）を、マンガン系ペロブスカイトから形成する、請求項６に記載の燃料電池装置（４６）を製造するための方法。
【請求項８】
前記少なくとも１つの相互接続ユニット（１６）が有する前記少なくとも２つの層（１８，２０）のうちの少なくとも１つの第２の層（２０）を、ニッケル系ペロブスカイトから形成する、請求項７に記載の燃料電池装置（４６）を製造するための方法。
【請求項９】
前記少なくとも１つの相互接続ユニット（１６）の前記少なくとも１つの第１の層（１８）を、前記少なくとも１つのアノード層（２８）の方向に向くように配置し、
前記少なくとも１つの相互接続ユニット（１６）の前記少なくとも１つの第２の層（２０）を、前記少なくとも１つのカソード層（２２）の方向に向くように配置する、
請求項６乃至８のいずれか一項に記載の燃料電池装置（４６）を製造するための方法。
【請求項１０】
前記燃料電池ユニット（１０）を配置するための少なくとも１つの支持体（４０）を設けることを含む、請求項６乃至９のいずれか一項に記載の燃料電池装置（４６）を製造するための方法。
【請求項１１】
前記相互接続ユニット（１６）を、スクリーン印刷を用いて形成する、請求項６乃至１０のいずれか一項に記載の燃料電池装置（４６）を製造するための方法。
【請求項１２】
前記燃料電池ユニット（１０）全体を、スクリーン印刷を用いて形成する、請求項６乃至１１のいずれか一項に記載の燃料電池装置（４６）を製造するための方法。
【発明の詳細な説明】
【技術分野】
【０００１】
本発明は、請求項１の上位概念による燃料電池装置に関する。
【背景技術】
【０００２】
複数の燃料電池を含む燃料電池ユニットを備えた燃料電池装置は既に提案されている。これらの燃料電池は、相互接続ユニットを用いて直列に接続されている。そこでは、相互接続ユニットは、単に１つの材料から形成されている。
【発明の概要】
【発明が解決しようとする課題】
【０００３】
発明の開示
本発明は、少なくとも２つの燃料電池と、少なくとも２つの燃料電池を相互に直列に接続するために設けられた相互接続ユニットと、を含む燃料電池ユニットを備えた燃料電池装置に関する。
【課題を解決するための手段】
【０００４】
ここでは、少なくとも１つの相互接続ユニットが、相互に異なる材料から形成された少なくとも２つの層を有することが提案される。
【０００５】
「燃料電池装置」とは、この文脈においては特に、少なくとも１つの燃料電池ユニットを用いた、特に電気的エネルギー及び／又は熱的エネルギーの固定式産出及び／又は移動式産出のための装置と理解されたい。「燃料電池ユニット」とは、この文脈においては特に、少なくとも１つの燃焼ガス、特に水素及び／又は一酸化炭素、並びに、少なくとも１つの酸化剤、特に酸素の少なくとも１つの化学エネルギーを、特に電気エネルギーに変換するために設けられた、相互に接続された複数の燃料電池を含むユニットと理解されたい。これらの燃料電池は、好ましくは固体酸化物燃料電池（ＳＯＦＣ）として構成されている。「設けられた」とは、特に特別なプログラミング、設計及び／又は装備と理解されたい。対象が特定の機能のために設けられたとは、特にこの対象がこの特定の機能を、少なくとも１つの適用状態及び／又は動作状態において、充足及び／又は実施することと理解されたい。「相互接続ユニット」とは、この文脈においては特に、少なくとも２つの燃料電池を相互に直列に接続するために、少なくとも２つの燃料電池の間で導電接続を形成するために設けられたユニットと理解されたい。
【０００６】
少なくとも１つの相互接続ユニットは、特に相互に層状に接して配置された相互に異なる材料から形成されている。相互接続ユニットが形成されている材料は、特に導電率及び／又は焼結特性に関する、特に相補的及び／又は補足的機能特性を有する。好ましくは相互接続ユニットの材料は、それぞれペロブスカイト構造を有している。
【０００７】
この種の構成により、改善された動作特性を有する、上位概念による燃料電池装置が提供可能になる。特に相互に異なる材料からなる相互接続ユニットの構成により、複数の材料特性を、有利に組み合わせることができる。それにより相互接続ユニットを、燃料電池装置の要求に有利に適合化させることができ、これによって特に燃料電池装置の機能性及び／又は寿命を有利に向上させることができる。
【０００８】
さらに相互接続ユニットは、マンガン系ペロブスカイトから形成された少なくとも１つの第１の層を有することが提案される。このマンガン系ペロブスカイトは特に、Ｌａ１−ＸＳｒｘＡｙＭｎ１−ｙＯ３、但し、０．０５＜ｘ＜０．６、０．０５＜ｙ＜０．６、Ａ＝スカンジウム（Ｓｃ）、チタン（Ｔｉ）、ニオブ（Ｎｂ）又はタンタル（Ｔａ）、の一般化学式を有している。これにより少なくとも１つの第１の層が、特に還元される雰囲気下で、例えばアノード雰囲気下で、高い導電率を有することを達成し得る。好ましくは、相互接続ユニットは、ニッケル系ペロブスカイトから形成された少なくとも１つの第２の層を有している。このニッケル系ペロブスカイトは特に、ＬａＮｉｘＦｅ１−ＸＯ３、但し、０．０５＜ｘ＜０．６、の一般化学式を有している。それにより、好ましくは気密性の第２の層を得ることができ、これによって燃料電池装置の気密性を有利に増加させることができる。さらに好ましくは、少なくとも１つの第２の層の高い導電率を、カソード雰囲気下で達成することができる。それによって、少なくとも１つの第１の層及び少なくとも１つの第２の層と、相互接続ユニットとの組み合わせにより、抵抗損を有利に低減させることができる。なぜなら、アノード雰囲気においてもカソード雰囲気においても、好ましくは高い導電率を達成することができるからである。
【０００９】
さらに、燃料電池ユニットは、少なくとも２つの燃料電池のカソードを形成するために設けられた少なくとも１つのカソード層と、少なくとも２つの燃料電池のアノードを形成するために設けられた少なくとも１つのアノード層と、少なくとも２つの燃料電池の電解質を形成するために設けられた少なくとも１つの電解質層とを含むことが提案される。少なくとも１つのカソード層は、特に、ランタン−ストロンチウム−酸化マンガン及び／又はランタン−ストロンチウム−スカンジウム−酸化マンガン及び／又はランタン−ストロンチウム−コバルト−酸化鉄及び／又はランタン−ニッケル−酸化鉄から形成されてもよい。好ましくは、カソード層は、ランタン−ストロンチウム−酸化マンガン、ランタン−ストロンチウム−スカンジウム−酸化マンガン又はそれらの混合物から形成される。好ましくは、少なくとも１つのカソード層の材料は、ペロブスカイト構造を有している。少なくとも１つのアノード層は、特にニッケル及びイットリウムによって安定化された酸化ジルコニウムを含むサーメット及び／又はランタン−ストロンチウム−酸化チタン及び／又はランタン−ストロンチウム−スカンジウム−酸化マンガンから形成されてもよい。少なくとも１つの電解質層は、特にイットリウムで安定化された酸化ジルコニウム及び／又はスカンジウムで安定化された酸化ジルコニウムから形成されてもよい。少なくとも１つの電解質層は、特に少なくとも１つのアノード層と少なくとも１つのカソード層との間に配置されている。少なくとも１つのカソード層は、それぞれ少なくとも２つの燃料電池のカソードを形成する。ここで、少なくとも２つの燃料電池のカソードは、好ましくは電気的及びイオン的絶縁体によって相互に分離されている。少なくとも１つのアノード層は、それぞれ少なくとも２つの燃料電池のアノードを形成する。この場合、少なくとも２つの燃料電池のアノードは、好ましくは、電気的及びイオン的絶縁体によって相互に分離されている。このようにして、少なくとも２つの燃料電池の好ましい構造を達成することができる。
【００１０】
さらに、少なくとも２つの燃料電池は、燃料電池ユニット内部で、第１の燃料電池のカソードが、第２の燃料電池のアノードに少なくとも部分的に重畳するように配置されることが提案される。これにより、燃料電池ユニットの好ましい小型の構造を達成することができる。
【００１１】
さらに、相互接続ユニットは、燃料電池ユニットの電解質層内部に配置されることが提案される。特に相互接続ユニットは、第１の燃料電池のカソードを第２の燃料電池のアノードに直列に接続するために設けられている。相互接続ユニットは、特に第１の燃料電池の電解質が特にイオン的に絶縁されるように、第２の燃料電池の電解質から分離されるように、燃料電池ユニットの電解質層内部に配置されている。特に相互接続ユニットは、電解質層の領域に配置されており、そこでは、第１の燃料電池のカソードと第２の燃料電池のアノードとが少なくとも部分的に重畳している。これにより、燃料電池ユニットは、好ましくは大きな電気化学的活性面を実現することができる。
【００１２】
さらに、相互接続ユニットの少なくとも１つの第１の層は、少なくとも１つのアノード層の方向に向き、相互接続ユニットの少なくとも１つの第２の層は、少なくとも１つのカソード層の方向に向くことが提案される。これにより、相互接続ユニットの複数の層の有利な配置構成を、特に燃料電池ユニット内部の相互接続ユニット材料の配向に関連して達成することができる。
【００１３】
さらに燃料電池装置は、燃料電池ユニットが配置された少なくとも１つの支持体を備えることが提案される。この「支持体」とは、この文脈においては特に、少なくとも１つの燃料電池ユニットを、特に機械的に負荷軽減及び／又は安定化するために設けられた構成要素と理解されたい。このことは特に、好ましくは燃料電池ユニットの薄い構成を可能にする。
【００１４】
特に少なくとも１つの電解質層の厚さの低減によって、少なくとも２つの燃料電池の電解質の導電率が有利に改善され、それによって燃料電池の効率が有利に増加し得る。支持体は、特に管状に構成されていてもよい。例えば支持体は、少なくとも１つの管路開口端部において、支持体基板に当該支持体を固定するための１つの特に気密性の固定領域を有し得る。管路の他方の端部に、支持体は、さらなるこの種の固定領域を有することができ、又は、特に気密性のキャップ領域によって封止されてもよい。燃料電池ユニットは、特に好ましくは、少なくとも１つのカソード層が支持体に接するように支持体に配置される。燃料電池ユニットが支持体に接する領域において、支持体は、好ましくはガス透過性に構成され、例えばガス透過性の孔部及び／又は開口部を有している。支持体は、特に１つ以上のセラミック及び／又はガラス質の材料から形成されていてもよい。例えば支持体は、フォルステライト及び／又は酸化ジルコニウム及び／又は酸化アルミニウムから形成されていてもよい。これにより、燃料電池装置の有利な機械的及び／又は熱的安定性を達成することができる。
【００１５】
さらに本発明に係る燃料電池装置を製造するための方法が提案される。特に少なくとも１つの方法ステップでは、少なくとも相互接続ユニットと、好ましくは燃料電池ユニット全体とが、スクリーン印刷を用いて製造可能である。特に少なくとも１つのさらなる方法ステップでは、相互接続ユニット及び／又は燃料電池ユニット及び／又は支持体の材料が共焼結され得る。これにより、本発明に係る燃料電池装置の好ましい容易な製造及び／又は安価な製造が達成され得る。
【００１６】
本発明に係る燃料電池装置は、上述した適用及び実施形態に限定されるべきではない。特に本発明に係る燃料電池装置は、ここで説明する機能性を満たすために、ここで上述した個々の構成要素、構成部品及びユニットの数とは異なる数も有し得る。
【００１７】
さらなる利点は、以下の図面の説明から明らかとなる。図面には、本発明の実施形態が示されている。図面、明細書及び特許請求の範囲は、組合せにおいて多数の特徴を含む。当業者は、これらの特徴を便宜的に個別にも観察し、合理的なさらなる組合せに統合するであろう。
【図面の簡単な説明】
【００１８】
【図１】少なくとも２つの燃料電池を含み、２層に形成された相互接続ユニットを用いて相互に直列に接続された燃料電池ユニットを備えた燃料電池装置の概略断面図。
【発明を実施するための形態】
【００１９】
実施形態の説明
図１は、ここでは部分的にのみ示された燃料電池装置４６の概略的断面図を示す。この燃料電池装置４６は、ここでは例示的に２つの直列接続された燃料電池１２，１４を含む１つの燃料電池ユニット１０を備えている。これらの燃料電池１２，１４は、相互接続ユニット１６を介して直列に接続されている。
【００２０】
図１に示すように、燃料電池ユニット１０は、多層形の層システムの形態で構成されており、ここでは、燃料電池１２，１４は、実質的に相互に並んで構成されている。また、ここでは、燃料電池ユニット１０は、カソード層２２、電解質層３４及びアノード層２８を含んでいる。カソード層２２は、ここでは燃料電池１２，１４のカソード２４，２６を形成している。アノード層２８は、ここでは燃料電池１２，１４のアノード３０，３２を形成している。電解質層３４は、ここでは燃料電池１２，１４の電解質３６，３８を形成している。
【００２１】
相互接続ユニット１６は、電解質層３４の完全に内部に配置されている。特に相互接続ユニット１６は、当該相互接続ユニット１６を介して、第１の燃料電池１２のカソード２４が、第２の燃料電池１４のアノード３２に直列に接続されるように配置されている。ここでは、第１の燃料電池１２の電解質３６は、相互接続ユニット１６により、特にイオン的に絶縁されるように第２の燃料電池１４の電解質３８から分離されている。
【００２２】
図１にはさらに、燃料電池１２，１４のカソード２４，２６が、電気的及びイオン的に絶縁される領域４２によって相互に分離されることと、燃料電池１２，１４のアノード３０，３２が少なくとも１つの電気的及びイオン的に絶縁される領域４４によって相互に分離されることが示されている。図１中に図示する実施形態では、さらに燃料電池１２，１４のカソード２４，２６及びアノード３０，３２が、カソード層２２又はアノード層２８によって次のように形成されている。即ち、第１の燃料電池１２のカソード２４が、第２の燃料電池１４のアノード３２に部分的に重畳するように形成されている。その場合に重畳する領域には、相互接続ユニット１６が、電解質層３４内に配置されている。しかしながら代替的に、カソードとアノードとの重畳を省くことも可能である。
【００２３】
図１には、さらに燃料電池装置４６が、支持体４０を備えていることが示されている。この支持体４０は、例えば１つ以上のセラミック及び／又はガラス質の材料から形成されてもよい。基本的には、支持体４０は、管状又はチューブ状に形成された支持体であっても、平坦に形成された支持体であってもよい。それ故、燃料電池装置４６は、平面型燃料電池装置として構成されてもよいし、好ましくはチューブ状の燃料電池装置として構成されてもよい。燃料電池ユニット１０は、この場合、特に、支持体４０の内側又は外側に被着され得るが、但し、好ましくはここに示されているように内側に被着され得る。図１は、この場合、燃料電池１２，１４のカソード２４，２６又は燃料電池ユニット１０のカソード層２２が、支持体４０に接していることを示している。燃料電池１２，１４のアノード３０，３２又は燃料電池ユニット１０のアノード層２８は、開口しているか又は自由にアクセス可能である。支持体４０は、燃料電池１２，１４に接する領域に、ガス透過性の孔部及び／又は開口部を有している。
【００２４】
相互接続ユニット１６は、２層に形成されている。相互接続ユニット１６の第１の層１８は、少なくとも実質的にマンガン系ペロブスカイトによって形成されている。このマンガン系ペロブスカイトは、Ｌａ１−ＸＳｒｘＡｙＭｎ１−ｙＯ３、但し、０．０５＜ｘ＜０．６、０．０５＜ｙ＜０．６、Ａ＝スカンジウム（Ｓｃ）、チタン（Ｔｉ）、ニオブ（Ｎｂ）又はタンタル（Ｔａ）、の一般化学式を有している。相互接続ユニット１６の第２の層２０は、少なくとも実質的にニッケル系ペロブスカイトによって形成されている。このニッケル系ペロブスカイトは、ＬａＮｉｘＦｅ１−ＸＯ３、但し、０．０５＜ｘ＜０．６、の一般化学式を有している。相互接続ユニット１６のこれらの層１８，２０は、相互接続ユニット１６の第１の層１８がアノード層２８の方向に向き、相互接続ユニット１６の第２の層２０が少なくとも１つのカソード層２２の方向に向くように配置されている。
【００２５】
少なくとも実質的にマンガン系ペロブスカイトによって形成された第１の層１８によって、相互接続ユニット１６は、特にアノード雰囲気において、十分に高い導電率（８５０℃で５Ｓ／ｃｍ）を有する。同時に、この第１の層１８は、その下にある、少なくとも実質的にニッケル系ペロブスカイトによって形成された第２の層２０を、アノード雰囲気による有害な影響から保護している。この第２の層２０は、ニッケル系ペロブスカイトの良好な焼結特性に基づいて、好ましくは気密に構成されており、それによって燃料電池装置４６からの燃焼ガスの漏れが有利に回避可能である。相互接続ユニット１６の２層構造により、第１の層１８のマンガン系ペロブスカイトのプラスの材料特性と、第２の層２０のニッケル系ペロブスカイトのプラスの材料特性とが相互に有利に組み合わせられる。
【図１】
0006516827.tif 000002